(57)【特許請求の範囲】
【請求項１】
紙管を有しない紙管レスペーパーロールの芯孔を矯正するための芯孔矯正装置であって、
該芯孔矯正装置が、
前記紙管レスペーパーロールが供給され、供給された該紙管レスペーパーロールを次工程に搬送する搬送手段と、
該搬送手段に設けられ、供給された前記紙管レスペーパーロールを保持するための保持部と、
該保持部に向けて配設され、前記紙管レスペーパーロールの芯孔の内径と同じ直径であって、前記紙管レスペーパーロールの幅よりも長尺な、棒状の矯正具と、
該矯正具を、前記保持部に向けて進退させて、前記保持部に保持された前記紙管レスペーパーロールの芯孔を貫通させる矯正具進退手段とからなり、
前記搬送手段が、
円板状であって、その中心軸回りに回転可能な本体部を備えており、
該本体部の外周に、前記保持部が複数箇所設けられており、
各保持部の側方に、複数の前記矯正具が設けられており、
前記本体部が、その中心軸回りに回転されると、前記矯正具進退手段が、各保持部と対応する矯正具を前記本体部と同じ回転数で該本体部の中心軸回りに周回移動させながら、保持部に向けて進退させる
ことを特徴とする紙管レスペーパーロールの芯孔矯正装置。
【請求項２】
前記矯正具が、その表面を加熱するための加熱手段を備えた
とを特徴とする請求項１記載の紙管レスペーパーロールの芯孔矯正装置。
【請求項３】
前記搬送手段の上流側において、前記紙管レスペーパーロールの芯孔の内面に、水を吹き付けるノズルを設けた
ことを特徴とする請求項１または２記載の紙管レスペーパーロールの芯孔矯正装置。
【請求項４】
前記搬送手段の上流側において、該搬送手段の各保持部に前記紙管レスペーパーロールを順次供給する搬入コンベアが設けられており、
該搬入コンベアが、
前後一対のスプロケットに巻き掛けられ、前記搬送手段の本体部の中心軸と直交する方向に移動するチェーンと、
該チェーンに、一定間隔毎に取り付けられた複数の仕切板と、
隣接する前記複数の仕切板の間におけるチェーンに取り付けられ、前記紙管レスペーパーロールがその中心軸が前記チェーンの移動方向と直交するように載せられる複数のテーブルとからなり、
前記チェーンを周回移動させると、前記搬入コンベアの一端において、前記テーブルから前記搬送手段の保持部に前記紙管レスペーパーロールが供給される
ことを特徴とする請求項１、２または３記載の紙管レスペーパーロールの芯孔矯正装置。
【請求項５】
前記搬入コンベアにおいて、前記紙管レスペーパーロールが、その中心軸と前記搬入コンベアの送り方向とが交わるように載せられており、
前記搬入コンベアの両側方に、前記ノズルを設けた
ことを特徴とする請求項１、２、３または４記載の紙管レスペーパーロールの芯孔矯正装置。
【請求項６】
前記搬入コンベアの上方に、該搬入コンベアに前記紙管レスペーパーロールを供給する搬入手段が設けられており、
該搬入手段が、
下端に前記紙管レスペーパーロールを落下させる排出口が形成された搬入部と、
該搬入部の下方に設けられ、その外周に前記紙管レスペーパーロールを一個だけ保持する保持溝が形成された供給ドラムと、
前記搬入部の下端と搬送コンベアとの間に設けられ、前記該供給ドラムの保持溝に保持された前記紙管レスペーパーロールが、前記保持溝から落下することを防ぐための落下防止部とからなり、
前記供給ドラムを、その中心軸周りに回転させたときに、該供給ドラムの保持溝が前記搬入部の排出口の鉛直下方に位置すると、前記搬入部の排出口から前記保持溝に、前記紙管レスペーパーロール供給され、
前記供給ドラムの保持溝が鉛直下方をむくと、前記保持溝から前記搬入コンベアのテーブル上に、前記紙管レスペーパーロールが供給される
ことを特徴とする請求項１、２、３、４または５記載の紙管レスペーパーロールの芯孔矯正装置。
【発明の詳細な説明】
【０００１】
【発明の属する技術分野】
本発明は紙管レスペーパーロールの芯孔矯正装置に関する。トイレットロールやキッチンロール等のペーパーをロール状に巻き取ったペーパーロールは、通常紙管と呼ばれる円筒状の固い芯を、その中心に有している。この紙管は、ペーパーロールがつぶれて変形することを防いだり、ペーパーロールをペーパーホルダに取り付けるために設けられている。しかし、この紙管は他に用途がないため、ペーパーを使い切ると残った紙管は捨てるしかなく、使用者にとっては捨てる手間がかかり邪魔なものであるし、製造者にとっては紙管を使用することによってペーパーロールの製造コストが高くなるという問題がある。このため、近年では紙管をなくした紙管レスペーパーロールが製造され、使用されている。本発明は、かかる紙管をなくした紙管レスペーパーロールの芯孔矯正装置に関する。
【０００２】
【従来の技術】
図５において、符号100は、トイレットペーパーをロール状に巻き取った紙管レスペーパーロールを示している。この紙管レスペーパーロール100は、以下のようにして製造される。
まず、原反ロールに巻き取られている幅の広いトイレットペーパーを、原反ロールからくり出して、軸径が可変である軸方向に長尺なエアシャフトに巻き付ける。このとき、エアシャフトの軸径を大きくしておく。また、この巻き付けの初期には、トイレットペーパーの表面に糊を吹き付けておく。
そして、回転ドラムを回転させながら、回転ドラムにトイレットペーパーを巻き付けていくと、軸方向に長尺なトイレットロール（以下、ログという）が形成される。このログが所望の直径になるとトイレットペーパーを切断し、回転ドラムの回転を停止して、エアシャフトの軸径を縮めてログからエアシャフトを抜く。そして、ログカッターによってログを所望の長さに切断すれば、紙管レスペーパーロール100が形成される。
この紙管レスペーパーロール100の中心部は、重なり合ったトイレットペーパー同士が糊によって接着されて固くなっている。このため、固くなった部分が、紙管の代わりとなるので、紙管レスペーパーロール100は紙管を有するトイレットロールと同様に使用することができる。
【０００３】
【発明が解決しようとする課題】
しかるに、紙管レスペーパーロール100は紙管を有しないので、その半径方向に加わる力に対して強度が弱くなっている。このため、ログカッターによって切断したときに、カッターから加わる力によって紙管レスペーパーロール100の切断部が変形し、その芯孔ｈが内側につぶれ込む変形が生じることがある。従来は、このような芯孔ｈの変形を矯正する装置が存在しなかったので、芯孔ｈが少し変形した程度のものは製品として出荷され一般消費者に使用されていた。しかし、芯孔ｈが変形した紙管レスペーパーロール100は、トイレットホルダーの心棒に入れにくかったり、入れた後使用するときカラカラと音がして不愉快なものであった。また、大きく変形したものは製品として出荷できないので、製品歩溜まりを低下させていた。
また、紙管レスペーパーロール100は、その中心部が糊によってトイレットペーパー同士が完全に接着されており、この部分のトイレットペーパーは使用できないので、捨てるしかなく、その部分のトイレットペーパーが無駄になるという問題がある。
さらに、糊の代わりに水だけを吹き付けた紙管レスペーパーロール100も製造されており、この紙管レスペーパーロール100は、水が乾けば重なり合ったトイレットペーパー同士がくっついて固くなるし、しかも、トイレットペーパー同士は、完全にくっついていないのでトイレットペーパーを最後まで使用することができる。しかし、この紙管レスペーパーロール100は、トイレットペーパー同士の接着が弱いため、紙管レスペーパーロール100の製造途中で芯孔ｈの部分からトイレットペーパーがはがれてしまう場合があり、この場合、製品として出荷できないので、製品歩溜まりが低下するという問題がある。
さらに、巻き取り工程には、紙管レスペーパーロール100の中心部のトイレットペーパー同士が完全にくっつけるための接着待ち時間が必要であるため、巻き取り工程に要する時間が長くなる。かといって、トイレットペーパー同士が完全にくっつく前に次工程に搬出すれば、巻き取り工程に要する時間は短くできるが、生産性は高くできるが、芯孔ｈの部分からトイレットペーパーがはがれてしまう可能性が高くなり、製品の歩留まりが悪化する。つまり、巻き取り工程に要する時間を短くし、かつ製品の歩留まりを向上させることはできなかった。
【０００４】
本発明は、紙管レスペーパーロールの芯孔が変形しても、それを矯正することができ、製品歩留まりを向上させることができ、生産性を向上することができる紙管レスペーパーロールの芯孔矯正装置を提供することを目的とする。
【０００５】
【課題を解決するための手段】
請求項１の紙管レスペーパーロールの芯孔矯正装置は、紙管を有しない紙管レスペーパーロールの芯孔を矯正するための芯孔矯正装置であって、該芯孔矯正装置が、前記紙管レスペーパーロールが供給され、供給された該紙管レスペーパーロールを次工程に搬送する搬送手段と、該搬送手段に設けられ、供給された前記紙管レスペーパーロールを保持するための保持部と、該保持部に向けて配設され、前記紙管レスペーパーロールの芯孔の内径と同じ直径であって、前記紙管レスペーパーロールの幅よりも長尺な、棒状の矯正具と、該矯正具を、前記保持部に向けて進退させて、前記保持部に保持された前記紙管レスペーパーロールの芯孔を貫通させる矯正具進退手段とからなり、前記搬送手段が、円板状であって、その中心軸回りに回転可能な本体部を備えており、該本体部の外周に、前記保持部が複数箇所設けられており、各保持部の側方に、複数の前記矯正具が設けられており、前記本体部が、その中心軸回りに回転されると、前記矯正具進退手段が、各保持部と対応する矯正具を前記本体部と同じ回転数で該本体部の中心軸回りに周回移動させながら、保持部に向けて進退させることを特徴とする。
請求項２の紙管レスペーパーロールの芯孔矯正装置は、請求項１記載の発明において、前記矯正具が、その表面を加熱するための加熱手段を備えたことを特徴とする。
請求項３の紙管レスペーパーロールの芯孔矯正装置は、請求項１または２記載の発明において、前記搬送手段の上流側において、前記紙管レスペーパーロールの芯孔の内面に、水を吹き付けるノズルを設けたことを特徴とする。
請求項４の紙管レスペーパーロールの芯孔矯正装置は、請求項１、２または３記載の発明において、前記搬送手段の上流側において、該搬送手段の各保持部に前記紙管レスペーパーロールを順次供給する搬入コンベアが設けられており、該搬入コンベアが、前後一対のスプロケットに巻き掛けられ、前記搬送手段の本体部の中心軸と直交する方向に移動するチェーンと、該チェーンに、一定間隔毎に取り付けられた複数の仕切板と、隣接する前記複数の仕切板の間におけるチェーンに取り付けられ、前記紙管レスペーパーロールがその中心軸が前記チェーンの移動方向と直交するように載せられる複数のテーブルとからなり、前記チェーンを周回移動させると、前記搬入コンベアの一端において、前記テーブルから前記搬送手段の保持部に前記紙管レスペーパーロールが供給されることを特徴とする。
請求項５の紙管レスペーパーロールの芯孔矯正装置は、請求項１、２、３または４記載の発明において、前記搬入コンベアにおいて、前記紙管レスペーパーロールが、その中心軸と前記搬入コンベアの送り方向とが交わるように載せられており、前記搬入コンベアの両側方に、前記ノズルを設けたことを特徴とする。
請求項６の紙管レスペーパーロールの芯孔矯正装置は、請求項１、２、３、４または５記載の発明において、前記搬入コンベアの上方に、該搬入コンベアに前記紙管レスペーパーロールを供給する搬入手段が設けられており、該搬入手段が、下端部に前記紙管レスペーパーロールを落下させる排出口が形成された、前記紙管レスペーパーロールが供給される搬入部と、該搬入部の排出口の下方に設けられ、その外周に前記紙管レスペーパーロールを保持するための保持溝が形成された円筒状の部材であって、その中心軸周りに回転自在な供給ドラムと、該供給ドラムの保持溝に保持された前記紙管レスペーパーロールが、前記保持溝から落下することを防ぐための落下防止板とからなり、前記供給ドラムの保持溝が、鉛直下方をむくと、前記保持溝から前記搬入コンベアのテーブル上に、前記紙管レスペーパーロール供給されることを特徴とする。
【０００６】
請求項１の発明によれば、紙管レスペーパーロールを搬送手段の本体部の保持部によって保持した状態において、矯正具進退手段によって矯正具を紙管レスペーパーロールの芯孔に挿入すれば、紙管レスペーパーロールの芯孔を真円に矯正することができるから、製品の歩留まりを向上することができる。複数の保持部は本体部の外周に設けられているので、各保持部に紙管レスペーパーロールを搬入し、本体部を回転させれば、紙管レスペーパーロールを順次次工程に搬出することができる。そして、各保持部の側方には、複数の矯正具が、本体部の中心軸に対して各保持部と常に相対的に一定の位置にあるから、中心軸まわりに回転しながらでも、矯正具を紙管レスペーパーロールに挿入離脱させることができる。このため、複数の紙管レスペーパーロールの芯孔を連続して矯正することができ、芯孔が矯正された紙管レスペーパーロールを、順次次工程に搬出することができる。よって、矯正作業の作業効率を高くすることができる。さらに、矯正具は芯孔を貫通するので、一本の矯正具によって、紙管レスペーパーロールの芯孔を、矯正具が挿入された側の端部だけでなく、その中央部および反対側の端部も確実に矯正することができる。
請求項２の発明によれば、矯正具の表面が、加熱手段によって加熱されているので、矯正具を挿入したときに、芯孔の矯正が容易になる。また、たとえ芯孔の部分のペーパーがはがれていても、はがれたペーパーを芯孔内面に確実にくっつけることができる。したがって、巻き取り工程におけるペーパーロールの接着待ち時間を短くしても、製品の歩留まりを向上することができる。
請求項３の発明によれば、紙管レスペーパーロールの芯孔の内面に水が吹き付けられているので、矯正具を挿入したときに、芯孔の矯正が容易になる。また、たとえ芯孔の部分のペーパーがはがれていても、はがれたペーパーを芯孔内面に確実にくっつけることができる。したがって、巻き取り工程におけるペーパーロールの接着待ち時間を短くしても、製品の歩留まりを向上することができる。
請求項４の発明によれば、隣接する仕切板間のテーブルに紙管レスペーパーロールを載せてチェーンを周回移動させれば、搬入コンベアの一端において、そのテーブルから搬送手段の保持部に紙管レスペーパーロールを順次供給することができる。よって、搬送手段の各保持部に紙管レスペーパーロールに確実に供給することができ、しかも装置の構造を簡単にすることができる。
請求項５の発明によれば、紙管レスペーパーロールの中心軸が、搬入コンベアの送り方向と交わるように、紙管レスペーパーロールが搬入コンベアに載せられているので、紙管レスペーパーロールを搬送しながら、その芯孔内面に水を吹き付けることができる。しかも、紙管レスペーパーロールの両側から水を吹き付けているから、紙管レスペーパーロールの芯孔内面全体に確実に水を吹き付けることができる。したがって、紙管レスペーパーロールの芯孔を確実に矯正することができる。
請求項６の発明によれば、供給ドラムが回転し、搬入部の排出口の鉛直下方に供給ドラムの保持溝がくれば、搬入部の排出口から紙管レスペーパーロールが、１個だけ保持溝に供給される。そして、紙管レスペーパーロールを保持溝に保持した状態で、供給ドラムが回転し、保持溝が鉛直下方を向くと、保持溝から搬入コンベアのテーブル上に、紙管レスペーパーロール供給される。しかも、落下防止部によって、紙管レスペーパーロールが保持溝から落下することを防いでいる。よって、供給ドラムを回転させるだけで、紙管レスペーパーロールを搬入コンベアに１個ずつ確実に供給することができる。また、搬入部に多くの紙管レスペーパーロールがたまっても、保持溝は１個だけしか紙管レスペーパーロールを受け取らないので、搬入コンベアには紙管レスペーパーロールが常に一個ずつ供給される。したがって、搬入コンベアに紙管レスペーパーロールがつまったりすることを防ぐことができる。
【０００７】
【発明の実施の形態】
つぎに、本発明の実施形態を図面に基づき説明する。
図１は本実施形態の紙管レスペーパーロールの芯孔矯正装置の概略説明図である。図２は図１のII−II線概略断面矢視図である。図３は搬入コンベア３０および搬入手段４０の概略側面図である。図４は図３のIV−IV線概略断面図である。
図１および図２に示すように、本実施形態の紙管レスペーパーロールの芯孔矯正装置は、搬送手段１０、矯正具２１、搬入コンベア３０および搬入手段４０から基本構成されており、紙管レスペーパーロールＰを搬送しながら、その芯孔ｈを矯正するようにしたことが特徴である。
【０００８】
まず、搬送手段１０を説明する。
図１に示すように、搬送手段１０は、後述する搬入コンベア３０から供給された紙管レスペーパーロールＰを、搬送手段１０の下方に設けられた搬出コンベアＣまで搬送するためのものであり、本体部１２と保持部１３とを備えている。
【０００９】
図２において符号Ｆは、左右一対の機枠を示している。この左右一対の機枠Ｆ、Ｆの間には、水平かつ回転自在に回転軸１１が取り付けられている。この回転軸１１の両端は、それぞれ機枠Ｆの外方に突出しており、右側の端部はスリップリングＳＬが取り付けられている。このスリップリングＳＬは、後述する複数の矯正具２１の電気ヒータに電力を供給するためのものである。
図１に示すように、回転軸１１の左側の端部にはスプロケットＳ１が取り付けられている。このスプロケットＳ１とスプロケットＳ２との間には、チェーンＢ１が巻き掛けられており、このスプロケットＳ２と駆動モータＭの主軸に取り付けられたスプロケットＳ３との間には、チェーンＢ２が巻き掛けられている。このため、駆動モータＭを駆動させれば、スプロケットＳ３→チェーンＢ２→スプロケットＳ２→チェーンＢ１→スプロケットＳ１の順に駆動モータＭの回転トルクが伝達され、回転軸１１が回転されるのである。
なお、回転トルクを伝達させる構成は、スプロケットとチェーンを組み合わせたものに限られず、タイミングプーリとタイミングベルトを組み合わせたものでもよい。
【００１０】
左右一対の機枠Ｆ、Ｆの間における回転軸１１には、本体部１２が取り付けられている。この本体部１２は左右一対の円板状のフレーム12a 、12b が連結部材によって連結されて形成されたものであり、左右一対のフレーム12a 、12bの中心がいずれも前記回転軸１１の中心軸上に位置するように設けられている。このフレーム12a 、12b は、両者の間の間隔が、紙管レスペーパーロールＰの幅よりわずかに広くなるように配設されている。
【００１１】
図１および図２に示すように、前記本体部１２の外周において、前後一対のフレーム12a 、12b の互いに対向する面には、Ｕ字状の保持部材13a 、13b がそれぞれ取り付けられている。この保持部材13a 、13b は、いずれもその開口部を本体部１２の外周に向けて取り付けられている。
このため、保持部材13a 、13b の開口部から紙管レスペーパーロールＰをその中心軸を水平にした状態で供給すれば、保持部材13a 、13b によって、紙管レスペーパーロールＰをその中心軸が回転軸１１と平行つまり紙管レスペーパーロールＰの中心軸を水平のまま保持することができる。この前後一対の保持部材13a 、13b によって、保持部１３が形成されているのである。
【００１２】
よって、搬送手段１０によれば、駆動モータＭを回転させれば回転軸１１が回転され、回転軸１１とともに本体部１２が回転する。そして、本体部１２を回転させながら、後述する搬入コンベア３０から保持部１３に紙管レスペーパーロールＰを供給すれば、紙管レスペーパーロールＰを搬出コンベアＣに載せることができ、搬出コンベアＣによって紙管レスペーパーロールＰを次工程に搬出することができる。
【００１３】
また、前後一対の前フレーム12a
、12b において、保持部１３が紙管レスペーパーロールＰを保持したときに、紙管レスペーパーロールＰの芯孔ｈの側方にあたる部分には、内径が紙管レスペーパーロールＰの芯孔ｈの内径よりも大きい図示しない貫通孔が形成されている。この貫通孔は、後述する矯正具２１を通すためのものである。
【００１４】
つぎに、矯正具２１を説明する。
図２に示すように、前記本体部１２と左側の機枠Ｆとの間において、前記複数の保持部１３の側方には複数の矯正具２１が設けられている。この矯正具２１は、その一端が先端に向かってテーパ状に形成された棒状の部材であり、その直径が紙管レスペーパーロールＰの芯孔ｈの内径と同径であり、その軸方向の長さが紙管レスペーパーロールＰの幅よりも長いものである。
また、矯正具２１は、加熱手段である電気ヒータが内蔵されており、この電気ヒータによって表面を加熱して、その表面温度を高くすることができる。
なお、加熱手段は矯正具２１の表面を加熱することができるものであれば電気ヒータに限られない。例えば矯正具２１の内部に配管を設け、この配管内に高温の蒸気や温水、油等を流して矯正具２１の表面を加熱してもよい。
【００１５】
各矯正具２１は、その軸が搬送手段１０の回転軸１１と平行に配設されており、そのテーパ状に形成された一端を本体部１２の保持部１３に向けて配設されている。この矯正具２１の他端部は、前記回転軸１１に固定されたアーム２２の外端に取り付けられている。
【００１６】
このため、駆動モータＭによって回転軸１１を回転させれば、各矯正具２１は、アーム２２とともに回転軸１１の周りを回転軸１１と同じ回転数で周回移動する。つまり、各矯正具２１は、本体部１２と同じ回転数で本体部１２の中心軸周りを周回移動する。したがって、各矯正具２１は、対応する本体部１２の保持部１３と常に相対的に一定の位置にあるのである。
【００１７】
つぎに、矯正具進退手段２５を説明する。
図２に示すように、前記矯正具２１の他端部は、前記アーム２２の外端に、本体部１２の保持部１３に向けて進退自在に取り付けられている。この矯正具２１の他端には、矯正具進退手段２５のカムフォロア２６が取り付けられている。
このカムフォロア２６は、本体部１２と後側のフレームＦとの間に設けられ、後側のフレームＦに固定されたカム２７のカム溝27g に挿入されている。このカム２７のカム溝27g は、前記矯正具２１が、回転軸１１の周りを回転すると、保持部１３に搬入コンベア３０から紙管レスペーパーロールＰが供給される位置から50度回転する間に矯正具２１を前進させ、そこから170度回転する間は、矯正具２１を前進させたままで保持し、さらに170度回転した位置から40度回転する間に矯正具２１を後退させるように形成されている。
【００１８】
このため、矯正具２１が回転軸１１の中心軸周りに周回移動すれば、カムフォロア２６がカム２７のカム溝27g に沿って移動し、矯正具２１が本体部１２の保持部１３に向けて進退するのである。
【００１９】
したがって、搬送手段１０、矯正具２１および矯正具進退手段２５によれば、紙管レスペーパーロールＰを搬送手段１０の保持部１３によって保持した状態において、矯正具進退手段２５によって矯正具２１を保持部１３に向けて前進させれば、矯正具２１が本体部１２の貫通孔を通って紙管レスペーパーロールＰの芯孔ｈに挿入されるので、矯正具２１によって紙管レスペーパーロールＰの芯孔ｈを真円に矯正することができる。しかも、矯正具２１は芯孔ｈを貫通するので、芯孔ｈを矯正具２１が挿入された側の端部だけでなく、その中央部および反対側の端部も確実に矯正することができる。
【００２０】
また、本体部１２の外周には複数の保持部１３が設けられているので、各保持部１３に紙管レスペーパーロールＰを搬入し、本体部１２を回転させれば、紙管レスペーパーロールＰを順次次工程に搬出することができる。しかも、各保持部１３の側方には、複数の矯正具２１が、本体部１２の中心軸に対して各保持部１３と常に相対的に一定の位置にある。このため、中心軸まわりに回転しながら矯正具進退手段２５によって矯正具２１を紙管レスペーパーロールＰに挿入離脱させれば、複数の紙管レスペーパーロールＰの芯孔ｈを連続して矯正することができ、芯孔ｈが矯正された紙管レスペーパーロールＰを、順次次工程に搬出することができる。よって、矯正具２１による紙管レスペーパーロールＰの芯孔ｈを矯正する矯正作業の作業効率を高くすることができる。
【００２１】
さらに、矯正具２１の表面が、加熱手段によって加熱されているので、矯正具２１を紙管レスペーパーロールＰに挿入したときに、その芯孔ｈの矯正が容易になる。また、たとえ芯孔ｈの部分のペーパーがはがれていても、はがれたペーパーを芯孔内面に確実にくっつけることができる。したがって、巻き取り工程におけるペーパーロールの接着待ち時間を短くしても、製品の歩留まりを向上することができる。
【００２２】
つぎに、搬入コンベア３０を説明する。
図１および図３に示すように、搬送手段１０の上流側（図１では左側）には、搬送手段１０側の一端が、搬送手段１０の本体部１２に隣接するように搬入コンベア３０が設けられている。この搬入コンベア３０は、その送り方向と紙管レスペーパーロールＰの中心軸とが交わるような状態、つまり、紙管レスペーパーロールＰの中心軸を水平に保った状態で搬送することができるものである。
この搬入コンベア３０は、前後一対のスプロケット31a 、31b を備えており、この前後一対のスプロケット31a 、31b の間にチェーン３２が巻き掛けられている。このチェーン３２には、一定間隔毎に複数の仕切板３４が取り付けられている。この複数の仕切板３４は、隣接する仕切板３４同士の間の長さが、紙管レスペーパーロールＰの幅よりも少し広くなるように配設されている。
【００２３】
隣接する仕切板３４同士の間におけるチェーン３２には、テーブル３５が取り付けられている。このテーブル３５は、上面が平坦な板状の部材であり、その上面に、紙管レスペーパーロールＰを載せるためのものである。
【００２４】
また、スプロケット31b の回転軸には、駆動伝達用のスプロケットＳ５が取り付けられており、このスプロケットＳ５と前記駆動モータＭの主軸に設けられたスプロケットＳ２との間には、チェーンＢ３が巻き掛けられている。つまり、スプロケット31b は、搬送手段１０の回転軸１１を回転と同期して回転されており、搬送手段１０の保持部１３が、搬入コンベア３０の近傍を通過するときに、前記テーブル３５から保持部１３に紙管レスペーパーロールＰを供給するように調整されている。
なお、駆動モータＭの回転トルクをスプロケット31b の回転軸に伝達させる構成は、スプロケットとチェーンを組み合わせたものに限られず、タイミングプーリとタイミングベルトを組み合わせたものでもよい。
【００２５】
このため、駆動モータＭを回転させれば、搬送手段１０の本体部１２とともに搬入コンベア３０のチェーン３２が周回移動し、搬入コンベア３０の一端において、テーブル３５から搬送手段１０の保持部１３に紙管レスペーパーロールＰを順次供給することができる。しかも、搬送手段１０の本体部１２を駆動するモータＭによってスプロケット31b が駆動されているので、搬送手段１０の本体部１２の回転と、搬入コンベア３０のチェーン３２の周回移動を確実に同期されている。よって、搬入コンベア３０のテーブル３５から搬送手段１０の保持部１３への紙管レスペーパーロールＰの供給が確実にすることができる。
【００２６】
また、搬入コンベア３０は一対のスプロケット31a、31b に巻き掛けられたチェーン３２に、複数の仕切板３４および複数のテーブル３５を取り付けただけであるから、搬送手段１０に紙管レスペーパーロールＰを供給する装置の構造を簡単にすることができる。
【００２７】
図４に示すように、前記搬入コンベア３０のテーブル３５の両側には、紙管レスペーパーロールＰがテーブル３５から落下することを防ぐための左右一対の側板３６、３６が設けられている。この左右一対の側板３６、３６の外方には、左右一対のノズル３８、３８が設けられている。このノズル３８は、その先端から水等の液体を噴射するものであり、その先端をテーブル３５上の紙管レスペーパーロールＰに向けて配設されている。このノズル３８は、紙管レスペーパーロールＰの芯孔ｈがテーブル３５上に載せられたときに、ノズル３８の軸線が紙管レスペーパーロールＰの芯孔ｈの中心軸と平行かつ同じ高さとなるように設けられている。また、左右一対のノズル３８、３８が設けられた位置における左右一対の側板３６、３６には、それぞれ貫通孔36hが形成されている。
【００２８】
このため、搬入コンベア３０によって紙管レスペーパーロールＰを搬送し、左右一対のノズル３８、３８の軸線と紙管レスペーパーロールＰの芯孔ｈの中心軸が一致したときに左右一対のノズル３８、３８から水を噴射すれば、紙管レスペーパーロールＰの芯孔ｈ内面に水を吹き付けることができる。しかも、紙管レスペーパーロールＰの両側から水を吹き付けるので、芯孔ｈ内面全体に確実に水を吹き付けることができる。
【００２９】
なお、ノズル３８から噴射するのは、水に限らずのりや香料でもよく、とくに香料を吹いた場合には、製造された紙管レスペーパーロールＰに芳香性を持たせることができるので、製品の価値を向上させることができる。
【００３０】
つぎに、搬入手段４０を説明する。
前記搬入コンベア３０の他端部の上方には、搬入手段４０の供給ドラム４２が設けられている。この供給ドラム４２は、略円筒状であり、その中心軸が水平に配設されており、この中心軸周りに回転自在に設けられている。この供給ドラム４２は、その外周面に４つの保持溝42g が回転対称な位置に形成されている。この保持溝42g は、その幅が紙管レスペーパーロールＰの直径よりもわずかに広くなるように形成されている。つまり、この保持溝42g は、紙管レスペーパーロールＰを、その中心軸が水平となるように、１個だけ保持することができるのである。
また、供給ドラム４２は、チェーンＢ４によって前記搬入コンベア３０のスプロケット31b と連結されており、供給ドラム４２の鉛直下方にテーブル３５がきたときに、保持溝42g が鉛直下方を向くように同期されている。
【００３１】
この供給ドラム４２の側方（図３では左側）には、落下防止部４４が設けられている。この落下防止部４４は、その供給ドラム４２側の面が、供給ドラム４２の中心軸を中心とする円弧状に凹んだ凹面44s となっている。この落下防止部４４の凹面44s は、供給ドラム４２に、供給ドラム４２に保持された紙管レスペーパーロールＰと接触しない程度に接近して設けられている。
【００３２】
前記落下防止部４４の上面は、紙管レスペーパーロールＰを供給ドラム４２に向かって供給する傾斜面44a となっており、この落下防止部４４上端と、紙管レスペーパーロールＰの直径よりもわずかに広い間隔をあけて、停止板41b が取り付けられている。この落下防止部４４の上端と停止板41b とが搬入部４１を構成しており、この両者の間に、排出口41h が形成されている。
【００３３】
このため、落下防止部４４の上面に紙管レスペーパーロールＰをころがせば、紙管レスペーパーロールＰを搬入部４１に供給することができる。そして、紙管レスペーパーロールＰが搬入部４１に供給された状態で、供給ドラム４２が反時計回りに回転し、搬入部４１の排出口41h の鉛直下方に供給ドラム４２の保持溝42g がくれば、搬入部４１の排出口から紙管レスペーパーロールＰが供給される。しかも、供給ドラム４２の保持溝42g は、紙管レスペーパーロールＰを１個だけしか保持できないので、供給ドラム４２の保持溝42g には搬入部４１から１個だけ紙管レスペーパーロールＰが供給される。
【００３４】
そして、紙管レスペーパーロールＰを供給ドラム４２の保持溝42g に保持した状態で、供給ドラム４２が回転し、保持溝42g が鉛直下方を向くと、保持溝42g から搬入コンベア３０のテーブル３５上に、紙管レスペーパーロールＰを供給することができる。しかも、供給ドラム４２と落下防止手段４４の凹面44s が接近しているので、落下防止手段４４によって保持溝42g が鉛直下方を向くまで保持溝42g から紙管レスペーパーロールＰが落下することを防いでいる。よって、供給ドラム４２を回転させるだけで、紙管レスペーパーロールＰを搬入コンベア３０に１個ずつ確実に供給することができる。
【００３５】
また、搬入部４１に多くの紙管レスペーパーロールＰがたまっても、保持溝42g は１個だけしか紙管レスペーパーロールＰを受け取らないので、搬入コンベア３０には紙管レスペーパーロールＰが常に一個ずつ供給される。したがって、搬入コンベア３０に紙管レスペーパーロールＰがつまったりすることを防ぐことができる。
【００３６】
つぎに、本実施形態の紙管レスペーパーロールの芯孔矯正装置の作用と効果を説明する。
まず、搬送手段１０の駆動モータＭを駆動する。すると、搬送手段１０の本体部１２が回転し、搬送手段１０の回転軸１１と連結された搬入コンベア３０のスプロケット31b が回転し、スプロケット31b と連結された搬入手段４０の供給ドラム４２が回転する。
そして、落下防止部４４の上面を転がして紙管レスペーパーロールＰを搬入手段４０の搬入部４１に供給すれば、紙管レスペーパーロールＰは、供給ドラム４２の保持溝42g に供給され、供給ドラム４２の保持溝42g から搬入コンベア３０のテーブル３５上に順次載せられる。
【００３７】
搬入コンベア３０のテーブル３５に載せられた紙管レスペーパーロールＰは、チェーン３２によってテーブル３５とともに搬送手段１０に向かって搬送される。
やがて、一対のノズル３８、３８が設けられた位置に紙管レスペーパーロールＰがくると、一対のノズル３８、３８から水が噴射され、紙管レスペーパーロールＰの芯孔ｈの内面に水が吹き付けられる。
【００３８】
そして、芯孔ｈの内面に水が吹き付けられた紙管レスペーパーロールＰは、搬入コンベア３０の搬送手段１０側の一端において、搬入コンベア３０のテーブル３５から搬送手段１０の保持部１３に順次供給される。この保持部１３に供給された紙管レスペーパーロールＰは、保持部１３に保持されたまま回転軸１１の中心軸周りを周回移動する。
【００３９】
一方、保持部１３の側方に設けられていた矯正具２１は、保持部１３に搬入コンベア３０から紙管レスペーパーロールＰが供給される位置から50度回転する間に、矯正具進退手段２５によって保持部１３に向かって前進され、フレーム12b に設けられた貫通孔を通って保持部１３に進入する。すると、保持部１３に保持された矯正具２１が紙管レスペーパーロールＰの芯孔ｈに進入し貫通するので、紙管レスペーパーロールＰの芯孔ｈは、矯正具２１の外形と同じ形状、つまり断面が真円の円筒状に成形される。したがって、矯正具２１によって紙管レスペーパーロールＰの芯孔ｈの形状を矯正することができる。
【００４０】
しかも、矯正具２１の表面は加熱されて温度が高くなっており、紙管レスペーパーロールＰの芯孔ｈの内面には水が吹き付けられている。したがって、水が吹き付けられた内面を矯正具２１によって加熱するので、紙管レスペーパーロールＰの芯孔ｈの矯正が容易であるし、また、紙管レスペーパーロールＰの芯孔ｈからペーパーがはがれていても、はがれたペーパーを紙管レスペーパーロールＰの芯孔ｈの内面に確実にくっつけることができる。
【００４１】
また、紙管レスペーパーロールＰは、矯正具２１が挿入されて貫通した位置から回転軸１１周りに170度回転する間は、矯正具２１が挿入されたままであるので、この間に、紙管レスペーパーロールＰの芯孔ｈは確実に矯正される。
【００４２】
紙管レスペーパーロールＰが、その芯孔ｈに挿入された位置から回転軸１１周りに220度回転すると、矯正具進退手段２５によって矯正具２１が後退され、そこから40度回転する間に完全に紙管レスペーパーロールＰから抜かれる。
そして、保持部１３の開口部が鉛直下方を向く位置、つまり、搬出コンベアＣの上方にくると、芯孔ｈが矯正された紙管レスペーパーロールＰは保持部１３から搬出コンベアＣに順次載せられるので、搬出コンベアＣによって紙管レスペーパーロールＰは次工程に順次搬送される。
【００４３】
上記のごとき構成であるので、本実施形態の紙管レスペーパーロールの芯孔矯正装置は、紙管レスペーパーロールＰを搬送する間に、紙管レスペーパーロールＰの芯孔ｈを順次矯正し、正常な製品とすることができる。しかも、紙管レスペーパーロールＰの芯孔ｈからペーパーがはがれても、はがれたペーパーを再び紙管レスペーパーロールＰの芯孔ｈの内面に確実にくっつけることができるので、巻取り工程における紙管レスペーパーロールＰの接着待ち時間を短くしても、製品歩溜まりを向上することができ、紙管レスペーパーロールＰを製造する作業の作業効率を高くすることができる。
【００４４】
【発明の効果】
請求項１の発明によれば、紙管レスペーパーロールの芯孔を真円に矯正することができ、芯孔を矯正具が挿入された側の端部だけでなく、その中央部および反対側の端部も確実に矯正することができるので、製品の歩留まりを向上することができる。芯孔が矯正された紙管レスペーパーロールを、順次次工程に搬出することができ、矯正作業の作業効率を高くすることができる。
請求項２の発明によれば、芯孔の矯正が容易になり、はがれたペーパーを芯孔内面に確実にくっつけることができるので、巻き取り工程におけるペーパーロールの接着待ち時間を短くしても、製品の歩留まりを向上することができる。
請求項３の発明によれば、芯孔の矯正が容易になり、はがれたペーパーを芯孔内面に確実にくっつけることができるので、巻き取り工程におけるペーパーロールの接着待ち時間を短くしても、製品の歩留まりを向上することができる。
請求項４の発明によれば、搬送手段の各保持部に紙管レスペーパーロールに確実に供給することができ、しかも装置の構造を簡単にすることができる。
請求項５の発明によれば、紙管レスペーパーロールを搬送しながら、その芯孔内面全体に確実に水を吹き付けることができるので、芯孔を確実に矯正することができる。
請求項６の発明によれば、供給ドラムを回転させるだけで、紙管レスペーパーロールを搬入コンベアに１個ずつ確実に供給することができ、搬入コンベアに紙管レスペーパーロールがつまったりすることを防ぐことができる。
【図面の簡単な説明】
【図１】    本実施形態の紙管レスペーパーロールの芯孔矯正装置の概略説明図である。
【図２】    図１のII−II線の概略断面矢視図である。
【図３】    搬入コンベア３０および搬入手段４０の概略側面図である。
【図４】    図３のIV−IV線概略断面図である。
【図５】    芯孔ｈが変形した紙管レスペーパーロール100 の概略斜視図である。
【符号の説明】
１０      搬送手段
１２      本体部
１３      保持部
２１      矯正具
２５      矯正具進退手段
３０      搬入コンベア
31a       スプロケット
31b       スプロケット
３２      チェーン
３４      仕切板
３５      テーブル
３８      ノズル
４０      搬入手段
４１      搬入部
41h       排出口
４２      供給ドラム
42g       保持溝
４４      落下防止部
Ｐ        紙管レスペーパーロール
【図１】
0003656042.tif 000002
【図２】
0003656042.tif 000003
【図３】
0003656042.tif 000004
【図４】
0003656042.tif 000005
【図５】
0003656042.tif 000006